(57)【要約】【課題】  座った姿勢の使用者の前方に吐水部を設けなくても使用者の体の前面側にシャワー流を浴びせることができることができるシャワー浴装置を提供する。【解決手段】背もたれ部を有する背面部と、座部と、前記座部の中心を挟んで前記背もたれ部の両側から斜め前方に延出した一対の翼部にそれぞれ設けられ、前記座部に着座した着座者の後方からシャワー流を吐水する、前記座部に着座した着座者の後方からシャワー流を吐水する第１の吐水部と、前記翼部にそれぞれ設けられ、前記第１の吐水部とはシャワー流を吐水する位置またはシャワー流の吐水の方向の少なくともいずれかが異なる第２の吐水部と、を備え、前記第１の吐水部から前記座部の前方方向に吐水された前記シャワー流は、前記座部に着座した着座者の後方から肩越しに前記着座者の下肢部に落下し、前記第２の吐水部から吐水された前記シャワー流は、前記座部に着座した着座者の肩にあたるシャワー浴装置を提供する。【選択図】  図１
2008237935.tif 000002
【特許請求の範囲】
【請求項１】
背もたれ部を有する背面部と、
座部と、
前記座部の中心を挟んで前記背もたれ部の両側から斜め前方に延出した一対の翼部にそれぞれ設けられ、前記座部に着座した着座者の後方からシャワー流を吐水する、前記座部に着座した着座者の後方からシャワー流を吐水する第１の吐水部と、
前記翼部にそれぞれ設けられ、前記第１の吐水部とはシャワー流を吐水する位置またはシャワー流の吐水の方向の少なくともいずれかが異なる第２の吐水部と、
を備え、
前記第１の吐水部から前記座部の前方方向に吐水された前記シャワー流は、前記座部に着座した着座者の後方から肩越しに前記着座者の下肢部に落下し、
前記第２の吐水部から吐水された前記シャワー流は、前記座部に着座した着座者の肩にあたることを特徴とするシャワー浴装置。
【発明の詳細な説明】
【技術分野】
【０００１】
本発明は、シャワー浴装置に関し、特に使用者が座った姿勢でシャワー浴を受けること
ができるシャワー浴装置に関する。
【背景技術】
【０００２】
使用者が座った姿勢でシャワー浴を受けることができるシャワー浴装置として、例えば
特許文献１に開示されるものがある。この特許文献１によれば、座った姿勢の使用者の背
面から肩越しに前方にせり出したアームに設けられた噴霧ノズルから使用者に向けて噴霧
がかけられる。
【特許文献１】国際公開第９７／３０６１９号パンフレット
【発明の開示】
【発明が解決しようとする課題】
【０００３】
しかし、特許文献１のシャワー浴装置を利用する際には、浴室壁面に取り付けたアーム
を壁面より引き出して利用するため、浴室が狭くなり、また、アームが浴室空間へせり出
すため利用者が鬱陶しさを感じることもあり得る。さらに、アームからの吐水は、体の前
面側へ向けての吐水であるため、利用者の顔面への跳ね返りや、逆上せなども懸念される
。また、入浴介助を行う際、アームが邪魔になり介助を行い難いという問題があった。
【０００４】
本発明は、座った姿勢の使用者の前方に吐水部を設けなくても使用者の体の前面側にシ
ャワー流を浴びせることができるシャワー浴装置を提供する。
【課題を解決するための手段】
【０００５】
本発明の一態様によれば、背もたれ部を有する背面部と、座部と、前記座部の中心を挟んで前記背もたれ部の両側から斜め前方に延出した一対の翼部にそれぞれ設けられ、前記座部に着座した着座者の後方からシャワー流を吐水する、前記座部に着座した着座者の後方からシャワー流を吐水する第１の吐水部と、  前記翼部にそれぞれ設けられ、前記第１の吐水部とはシャワー流を吐水する位置またはシャワー流の吐水の方向の少なくともいずれかが異なる第２の吐水部と、を備え、前記第１の吐水部から前記座部の前方方向に吐水された前記シャワー流は、前記座部に着座した着座者の後方から肩越しに前記着座者の下肢部に落下し、前記第２の吐水部から吐水された前記シャワー流は、前記座部に着座した着座者の肩にあたることを特徴とするシャワー浴装置が提供される。
【発明の効果】
【０００６】
本発明によれば、座った姿勢の使用者の前方に吐水部を設けなくても使用者の体の前面
側にシャワー流を浴びせることができるシャワー浴装置が提供される。
【発明を実施するための最良の形態】
【０００７】
以下に、図面を参照しつつ、本発明の実施形態について説明する。なお、各図面におい
て、同様の要素には同一の符号を付した。
【０００８】
［第１の実施形態］
図１は、本発明の第１の実施形態に係るシャワー浴装置の外観を模式的に例示する斜視
図である。  
図２は、図１におけるＡ−Ａ断面図である。  
図３は、図１におけるＢ−Ｂ断面図である。  
図４は、図１におけるＣ−Ｃ断面図である。
【０００９】
本実施形態に係るシャワー浴装置は、主として、浴室の壁面１００に設けられた背面部
２と、浴室の床面１１０上に設けられた台部３と、を備える。本具体例においては、台部
３は、背面部２の下部に一体的に設けられている。ただし、本発明はこれに限定されず、
台部３と、背面部２とを、別体で設けてもよい。
【００１０】
台部３は、背面部２の前方側（図１における矢印ｙの方向）に出張っている。台部３の
上面には、その上面の他の部分よりも床面１１０側にくぼんだ凹状の座部４が形成されて
いる。すなわち、浴室壁面１００及び浴室床面１１０に対して略平行な第１の方向ｘ（台
部３の幅方向）にみた台部３上面の両端部と、座部４との間には、壁部６を介して、段差
が形成されている。
【００１１】
背面部２には、その背面部２の他の部分よりも浴室壁面１００側にくぼんだ凹状の背も
たれ部５が形成されている。すなわち、第１の方向ｘにみた背面部２の両端部と、背もた
れ部５との間には、壁部７を介して、段差が形成されている。
【００１２】
背もたれ部５および座部４は、ひとつながりの凹部として形成されている。背もたれ部
５の第１の方向ｘ（幅方向）にみた両端に設けられた壁部７、および座部４の第１の方向
ｘ（幅方向）にみた両端に設けられた壁部６も、ひとつながりになっている。
【００１３】
座部４は、図３（ａ）、（ｂ）に表されるように、第１の方向ｘ（幅方向）にみて凹状
に形成されている。そして、さらに図３（ｂ）に表したように一対の凹部４Ａを設けても
よい。これら凹部４Ａは、第２の方向ｙに延在して形成され、座部４に座った着座者の大
腿部に対応する。このような凹部４Ａを設けることにより、着座者の大腿部をより安定し
て支持することができ、また、座部４に溜まった湯水を着座者の脚に向けて流すことがで
きる。
【００１４】
また、座部４は、図２に表されるように、奥行き方向に向かって（背もたれ部５に向か
って）下向き傾斜している。すなわち、座部４のくぼみ深さが、奥行き方向に向かって（
背もたれ部５に向かって）徐々に深くなっている。
【００１５】
背面部２の上部であって、第１の方向ｘ（幅方向）にみた略中央部には、座部４に座っ
た着座者の頭部、または首から頭部にかけての部分を支持するための頭部支持部２５が設
けられている。頭部支持部２５は、背面部２に対して第２の方向（台部３の出張り方向）
ｙに出張っている。
【００１６】
背もたれ部５よりも上方の背面部２には、１対の第１の吐水部２１が設けられている。
第１の吐水部２１は、第１の方向ｘにみて頭部支持部２５を挟むように頭部支持部２５の
左右両側に、それぞれ１つずつ設けられている。第１の吐水部２１は、使用者が座部４に
着座した状態で、その着座者の肩よりも上方に位置する。また、座部４と第１の吐水部２
１との間の高さは、浴室床面１１０からの座部４の高さよりも大きい。使用者が座部４に
着座した際に、１対の第１の吐水部２１間に、着座者の顔または頭部を位置させることが
できるように、２つの第１の吐水部２１は、第１の方向ｘに互いに離間している。すなわ
ち、１対の第１の吐水部２１は、使用者が座部に着座した状態で、着座者の顔または頭部
を挟む位置に設けられている。ただし、第１の吐水部２１は、座部４に着座した使用者の
頭部よりも高い位置に設けられていてもよい。第１の吐水部２１の吐水方向は、略水平方
向、または水平方向よりやや下方に設定されている。
【００１７】
ここで、「略水平方向」とは、  水平面に対してプラスマイナス４５°以内であること
が望ましく、プラスマイナス３０°以内であることがさらに望ましい。また、水平面に対
してプラスマイナス２０°以内であることが、よりさらに望ましい。
【００１８】
すなわち、後に詳述するように、座部４に着座した着座者の肩よりも上方に設けられた
第１の吐水部２１からは、着座者の下肢近傍に落下するシャワー流が吐水される。この場
合、第１の吐水部２１の取付位置が低い場合には、着座者の肩越しにほぼ水平方向に向け
てシャワー流を吐水させ着座者の下肢近傍に落下させることができる。一方、第１の吐水
部２１の取付位置が高い場合には、水平方向に吐水させるとシャワー流は着座者の下肢よ
りも遠方に落下してしまうため、水平方向から下向きに吐水させる必要がある。つまり、
第１の吐水部２１の取付位置が低い場合にはほぼ水平方向に吐水させ、取付位置が高くな
るほど吐水方向を水平方向よりも下向きにする必要がある。
【００１９】
例えば、第１の吐水部２１の取付位置が低く、略水平方向に吐水させる場合には、シャ
ワー流が着座者の下肢近傍に落下するまでの飛距離が短くなり、その結果、シャワー流の
温度低下が起こりにくい。また、第１の吐水部２１の取付位置を低くすることによりシャ
ワー浴装置を小型化できる。また、シャワー流が着座者の下肢近傍に落下する時の速度も
遅くなる（下向きに吐水する際に加わる加速の影響が少ないからである）ため、シャワー
流による着座者への刺激および水跳ねが低減され、着座者は快適に長時間全身シャワーを
浴びることが可能となる。
【００２０】
なお、本具体例においては、左右一対の第１の吐水部２１が設けられているが、本発明
はこれには限定されず、第１の吐水部２１はひとつでもよい。この場合には、第１の吐水
部２１は頭部支持部２５の左右両側に渡り、設けられる。
【００２１】
背もたれ部５よりも上方の背面部２であって、１対の第１の吐水部２１のそれぞれの下
方には、１対の第２の吐水部２２が設けられている。第２の吐水部２２の吐水方向は、第
１の吐水部２１の吐水方向よりも下方に設定され、着座者の肩に向かって吐水を行うよう
に設定されている。なお、本具体例においては、左右一対の第２の吐水部２２が設けられ
ているが、本発明はこれには限定されず、第２の吐水部２２はひとつでもよい。この場合
には、第２の吐水部２２は中心付近に設けられる。
【００２２】
第２の吐水部２２とほぼ同じ高さあるいは第２の吐水部２２よりも少し上方の背面部２
であって、第１、第２の吐水部２１、２２及び背もたれ部５よりも、第１の方向ｘ（背も
たれ部２の幅方向）にみて外側には、１対の第３の吐水部２３が設けられている。第３の
吐水部２３の吐水方向は、第１の吐水部２１の吐水方向よりも第１の方向ｘにみて内側に
設定され、着座者の肩峰部に向けて吐水を行うように設定されている。
【００２３】
各吐水部２１〜２３からは、例えば４０〜４５℃程度のシャワー流が吐水される。なお
、各吐水部２１〜２３は、２対以上設けてもよい。また、図示された具体例では、各吐水
部２１〜２３は背面部２に対して個別に突出して設けられているが、図５に表すように、
各吐水部（図５には、例えば第１及び第２の吐水部２１、２２を図示した）を１つのユニ
ット体１４に内蔵させてもよい。
【００２４】
次に、本実施形態に係るシャワー浴装置の作用について説明する。  
図６は、着座者２００に対する各吐水部２１〜２３からのシャワー流の吐水の様子を模
式的に表す斜視図である。
【００２５】
図２、６に表されるように、第１の吐水部２１からは、略水平方向に噴出し座部４の前
縁近傍に落下するシャワー流が吐水される。すなわち、第１の吐水部２１からは、着座者
２００の肩越しに着座者２００の前方へと自重により弧を描く軌跡でシャワー流が吐水さ
れ、着座者２００の特に大腿部を中心とした下肢近傍にシャワー流が落下する。なおこの
時、シャワー流は、着座者２００の下肢だけでなく腹部にも落下するようにしてもよい。
そして、このシャワー流は、着座者２００の膝から足に向けて下肢の表面を流れる。この
ような吐水方向に設定することで、着座者２００の後方であって、且つ第１の吐水部２１
が着座者２００の下肢から遠い頭部付近に設けられた構成であっても、着座者２００の肩
越しに吐水を行うことで、その吐水流が着座者２００に遮られることなく確実に下肢まで
到達させて、膝から下の下肢までも温めることができる。また、このように高い位置から
吐水させることにより「打たせ湯」のように、シャワー流によるマッサージ効果も下肢に
作用させることができる。
【００２６】
また、背もたれ部５の角度や着座者２００の姿勢によっては、第１の吐水部２１から吐
水されるシャワー流を着座者２００の下腹部に落下させることもできる。
【００２７】
なお、第１の吐水部２１からのシャワー流が着座者２００の肩の真上を通過する場合に
限らず、着座者２００の肩口（肩先）付近を通過する場合も、「肩越し吐水」に含まれる
。ただし、着座者２００の肩の真上をシャワー流が通過するようにすれば、着座者２００
の背面側に設けられた第１の吐水部２１から最短距離で下肢にまでシャワー流を到達させ
ることができる。すなわち、第１の吐水部２１から吐水されたシャワー流が下肢に至るま
での飛翔中の温度低下を抑制でき、下肢を所望の温度のシャワー流で温めることができる
。
【００２８】
第２の吐水部２２からは、着座者２００の首の付け根の近くの肩部に向けてシャワー流
が吐水される。肩部にあたったシャワー流の一部は、着座者２００の胸部から胴部にかけ
ての側部を中心とした体の前側表面を流れ、シャワー流の他の一部は、背中に回り込む。
このようにして、着座者２００の体の前側と背中とをいずれも温めることができる。また
、シャワー流によるマッサージ効果も肩部に作用させることができる。なお、前述したよ
うに第２の吐水部２２がひとつだけ設けられる場合には、例えば着座者２００の首の後ろ
から首の付け根の近くの両肩部に向けてシャワー流が吐水され、同様の効果が得られる。
【００２９】
第２の吐水部２２から着座者２００の首の付け根の近くの肩部に向けてシャワー流を吐
水し着座者２００の上半身の前面と背中とにシャワー流を流すことにより、着座者２００
の後方に設けた１対の第２の吐水部２２だけであっても、着座者２００の上半身全体を効
率よく温めることができる。すなわち、吐水部を最小限にして低コスト化を図りつつ、高
い温熱効果が得られる。
【００３０】
着座者２００の背面側に回り込んだ湯水は、着座者２００の背中または背もたれ部５を
伝って、座部４に向けて連続的に流れる。すなわち、第２の吐水部２２から吐水された湯
水が、背もたれ部５へ次々と流れ込むため着座者２００の背中と背もたれ部５との間に温
度境界層ができず、湯水の熱が着座者２００の背中に伝わりやすくなる。身体の前面だけ
でなく背中側も同時に暖めることができるため、少ない流量でも温熱効果を高くでき、使
用湯量の節約による節水及び省エネルギーにもなる。
【００３１】
また、背もたれ部５は、第１の方向ｘ（幅方向）の両端に形成された壁部７で仕切られ
、また座部４へとつながる凹状に形成されているため、背もたれ部５に流れ込んだ湯水の
飛散や流出を抑えて、無駄なく確実に座部４へと湯水を導くことができる。すなわち、少
ない流量でも温熱効果を損なうことなく、また、使用湯量の節約による節水及び省エネル
ギーにもなる。
【００３２】
第３の吐水部２３からは、着座者２００の肩峰部（肩頂部）に向けてシャワー流が吐水
される。肩峰部にあたったシャワー流は、第１及び第２の吐水部２１、２２からのシャワ
ー流によってカバーしきれない、腕部の中央付近を中心とした部分に流れて、その部分を
温める。また、肩峰から胸に向かってもシャワー流をあてることができる。第３の吐水部
２３から肩峰部に向けてシャワー流を吐水することで、第１及び第２の吐水部２１、２２
でカバーしきれない腕部などを、１対だけの吐水部２３でカバーでき、低コストである。
【００３３】
第１〜第３の吐水部２１〜２３から吐水された湯水は、着座者２００の体表面もしくは
背もたれ部５を伝って、凹状の座部４に溜まる。座部４に湯水が溜まることで、着座者２
００の臀部、および大腿部における少なくとも裏側が確実に湯水に接触した状態となる。
これにより、各吐水部２１〜２３からの吐水流が直接当たらない腰部付近を効率的に温め
ることができる。また、腰部から臀部を温めることで、腸内運動の活性化も図れる。
【００３４】
座部４は、第１の方向ｘ（幅方向）の両端に形成された壁部６で仕切られ、また背もた
れ部５からつながるくぼみとして形成されているため、湯水の横漏れを抑えて、各吐水部
２１〜２３からの湯水を無駄なく効率的に利用できる。すなわち、使用湯水量の節約によ
る節水及び省エネルギーが図れる。
【００３５】
座部４にも、着座者２００の体表面もしくは背もたれ部５を伝って次々と湯水が流れ込
むため、着座者２００と座部４との間に温度境界層が発達せず、湯水の熱が着座者２００
の臀部および大腿部に伝わりやすくなり、温熱効果を高めることができる。
【００３６】
またさらに、座部４に溜まった湯水は、前方（図１の方向ｙ）に向けて流出し、着座者
２００の脚部から足を流れる。その結果として、湯水を無駄にせずに足まで温めることが
できる。特に、図３（ｂ）に例示したような凹部４Ａを設けると、座部４に溜まった湯水
は着座者２００の脚部に向けて流れやすくなるので効率的である。
【００３７】
また、座部４に溜まった湯水に浸かりつつ、第１〜第３の吐水部２１〜２３によるシャ
ワー流を体全体に受けることで、浴槽への入浴初期と同様なお湯に浸かる感覚（入浴感）
を得ることができ、シャワー浴でありながら高い温熱効果を得られる。しかも、浴槽に浸
かる場合に比べて水圧が体にかからず体への負担が少ない。浴槽の中に出入りする動作が
必要なく、着座した状態で使用できるので、高齢者や身体動作に障害を有する使用者でも
高い温熱効果を楽に得ることができる。また、体の部分ごとにシャワーをかけるのではな
く、全身にシャワーを同時にかけられるため、短時間で節水しながらシャワーを浴びて体
を温めることができる。
【００３８】
また、各吐水部２１〜２３から吐水されるのは噴霧ではなく連続的な水流からなるシャ
ワー流であるため、ミスト（噴霧）を噴出させる場合のように周辺の空間が高温高湿雰囲
気にならず、逆上せを防げる。またさらに、気化熱による吐水の温度低下が少ないので、
シャワーの設定温度を必要以上に高く設定する必要がなく、経済的である。
【００３９】
なお、本実施形態のシャワー浴装置において第１〜第３の吐水部２１〜２３から吐水さ
れるシャワー流は、各吐水部に設けられた複数のシャワー穴から吐水される。その穴径は
、例えば０．２ｍｍ〜４ｍｍの範囲内であることが望ましく、この範囲であれば、少ない
流量で広範囲に渡り効率的に温めることができる。
【００４０】
また、複数の吐水部を設けたアームが着座者の前方にせり出す特許文献１に比べて、本
実施形態では、各吐水部２１〜２３を着座者２００の後方の浴室壁面に一体に設けること
により、限られたスペースの浴室空間内で、設置スペースの省スペース化が図れ、またコ
ンパクトですっきりした構成であるため浴室内での鬱陶しさがなくなり、デザイン性も損
なわない。また、前方にせり出すアームがないため、例えば使用者を車いすからシャワー
浴装置の座部４へと移乗させる作業も安全且つ容易に行え、使い勝手がよい。
【００４１】
また、各吐水部２１〜２３からのシャワー流の吐水方向を前述したように適切に設定す
ることで、着座者２００の前方に多数の吐水部を設けなくても、着座者の後方に最小限の
吐水部を設けるだけで、少量の湯でも効率的に着座者２００の体全体を温めるシャワー浴
が実現できる。吐水部を最小限にすることで、低コスト化も図れる。また、必要湯量を抑
えることで、節水及び省エネルギーにもなる。
【００４２】
図７は、座部の他の具体例を表す模式断面図である。  
本具体では、台部３の上面に壁部１６を立設することで、その壁部１６によって台部３
の他の上面と仕切られた凹状の座部１５を設けている。
【００４３】
以下、本発明の他の実施形態について説明する。なお、前述したものと同様の要素につ
いては、同一の符号を付して詳細な説明は省略する。
【００４４】
［第２の実施形態］
図８は、本発明の第２の実施形態に係るシャワー浴装置における背もたれ部５の模式正
面図である。  
図９は、図８におけるＤ−Ｄ断面図である。
【００４５】
本実施形態では、背もたれ部５に凹凸を設けている。図８に表される具体例では、例え
ば複数の円柱状の凸部１７を背もたれ部５に設けている。
【００４６】
図１０表されるように、背もたれ部５に凹凸がないと、背もたれ部５と着座者２００の
背中とが密着して、着座者２００の背中に湯水が流れにくい。これに対して、図９に表さ
れるように、背もたれ部５に凹凸（凸部１７）を設けると、背もたれ部５と着座者２００
の背中との間に、湯水が流れるための流路１８を確保できる。これにより、着座者２００
の背中に接触しながら流れる湯水の流れを確実に確保でき、その湯水の流れによって着座
者２００の背中を温めながら、座部４へと湯水を流し込むことができる。
【００４７】
なお、凸部１７の数や配列は、本具体例には限定されない。例えば、図８に例示した具
体例とは異なり、凸部１７を千鳥格子状に配置すると、上下方向の流路が分断され、湯水
を横方向に拡散させやすくなり、着座者２００の背中全体を偏りなく温めることができる
。  
また、凸部１７の形状やサイズも本具体例には限定されず、楕円柱状や角柱状などの各
種の形状を与えることができる。また、その先端や角を適宜丸めることにより、着座者２
００に与える刺激を調節することができる。凸部１７は、例えば、半球状のような曲面か
ら構成されるものであってもよい。このような凸部１７を適宜配置すると、「つぼ押し」
の効果も得られる。
【００４８】
図１１〜図１３は、背もたれ部５に設けられる凹凸の他の具体例を表す。  
図１１は、四角形状の凸部１７ａを背もたれ部５に設けた具体例を表す。  
図１２は、図１１と同じく四角形状の凸部１７ｂを設けているが、凸部１７ｂと凸部１
７ｂとの間に形成される縦方向（背もたれ部５の高さ方向）の流路の途中にも凸部１７ｂ
を設けることで、流路が上から下までひとつながりとはならず、背もたれ部５の横方向に
流水を拡散させやすい。すなわち、背もたれ部５全体に流水の流れを形成して、着座者２
００の背中全体を偏りなく温めることができる。  
図１３は、凸部１７ｃと凸部１７ｃとの間の流路が、背もたれ部５の高さ方向に対して
傾斜しており、この構成も、背もたれ部５全体に流水の流れを形成しやすい。
【００４９】
［第３の実施形態］
図１４は、本発明の第３の実施形態に係るシャワー浴装置の外観を模式的に例示する斜
視図である。
【００５０】
本実施形態では、台部３において、その出張り方向（第２の方向ｙ）にみた前方側に位
置する前面部２７には、浴室壁面１００側にくぼんだ凹部２８が形成されている。第１の
方向ｘにみた前面部２７の両端部と、凹部２８との間には、壁部８を介して、段差が形成
されている。凹部２８は座部４とつながっており、壁部８は座部４の両端に形成された壁
部６とつながっている。
【００５１】
また、凹部２８の前方の浴室床面１１０上には、足浴槽２９が設けられている。第１〜
第３の吐水部２１〜２３から吐水された湯水は、着座者の体表面を伝って、もしくは背も
たれ部５および座部４を経て足浴槽２９に溜まる。
【００５２】
図１５に表されるように、着座者２００はその足部を、足浴槽２９に溜まった湯水に浸
けることにより、第１〜第３の吐水部２１〜２３から最も遠く、また血流が流れにくく、
皮膚温が低い足部の温熱効果を高めることができる。また、足部には、動静脈吻合（ＡＶ
Ａ：arteriovenous anastomosis）があり、足部を足浴槽２９の湯水に浸けることでＡＶ
Ａが開いて血流が増大し、これにより全身の温熱効果がさらに高まる。
【００５３】
また、台部３の前面部２７に、座部４とつながった凹部２８を設けたことで、座部４に
溜まった湯水があふれても横漏れせずに凹部２８を流れて足浴槽２９に溜まるため、吐水
部２１〜２３からの湯水を無駄なく利用することができる。
【００５４】
［第４の実施形態］
図１６、１７は、本発明の第４の実施形態に係るシャワー浴装置の外観を模式的に例示
する斜視図である。
【００５５】
本実施形態では、台部３の凹部２８に、台部３の中の空間とつながる開口３２を形成し
て、その開口３２を介して、足浴槽２９を台部３の中に出し入れできるようにしている。
【００５６】
シャワー浴装置を使用しないときは、図１７に表されるように、足浴槽２９を台部３の
中に収納することで、浴室床面上から足浴槽２９がなくなり、例えば清掃のときなどにじ
ゃまにならない。また、デザイン的にすっきりして浴室内の見栄えを損ねない。また、例
えば車椅子と座部４との間で使用者を移乗する際に、足浴槽２９がじゃまにならず、移乗
性が向上する。
【００５７】
図１８、１９は、足浴槽２９の収納構造の他の具体例を表す。  
本具体例では、足浴槽２９がその後端部に設けられた軸部材３４を中心に回動可能とな
っており、足浴槽２９を、軸部材３４を中心として回動させることにより、足浴槽２９を
台部３の中に収納したり、浴室床面上に設置したりできる。このようにしても、清掃など
の際にじゃまにならず、見栄えもすっきりし、移乗性にも優れる。
【００５８】
［第５の実施形態］
図２０は、本発明の第５の実施形態に係るシャワー浴装置の模式側断面図である。
【００５９】
台部３の前面部に形成された凹部２８は、座部４から足浴槽２９へと湯水を導く案内部
として機能するが、本実施形態では、さらにその凹部２８の上部に、前方に向けて下向き
傾斜させた案内部３５を設け、この案内部３５によって、座部４から落下する湯水を、着
座者２００のふくらはぎに導くようにしている。すなわち、座部４からの湯水が、着座者
２００のふくらはぎに接触しながら足浴槽２９に流れるようにしており、これにより、ふ
くらはぎの温熱効果を高め、また、湯水がふくらはぎをさするようにして流れることによ
るマッサージ効果が得られる。
【００６０】
また、例えば図３（ａ）や（ｂ）に例示したような壁部６を案内部３５の両側に設ける
と、座部４から前方に溢れ出た湯水を横方向に漏らすことなく着座者２００のふくらはぎ
にあて、足浴槽２９に導くことができる。このような案内部３５を備えたものも、本発明
の範囲に包含される。
【００６１】
［第６の実施形態］
図２１は、本発明の第６の実施形態に係るシャワー浴装置の模式側断面図である。
【００６２】
本実施形態では、背もたれ部５にミラーＭなどを適宜設け、シャワー浴装置を洗面カウ
ンターとして用いることができるようにしている。すなわち、座部４が凹状に形成されて
いるためこれに湯水が溜まり洗面器として使用できる。洗面カウンターおよび洗面器を別
途設けなくてもよいので、省スペース且つ低コストである。また、座部４は、人が座って
も耐えられる強度に設計されるため手すりとしても利用可能である。
【００６３】
また、図２２に表されるように、座部３６は、その四方を壁部３７ａ〜３７ｃによって
囲まれる箱状に設けられた構成であってもよい。この場合、前端側（着座者の足側）の壁
部３７ｃを、側部の壁部３７ａ、３７ｂよりも低くすることで、座部３６に溜まった湯水
は、横漏れせずに前端側の壁部３７ｃを越えて着座者の足部や足浴槽に流れるため、湯水
を無駄にすることなく足部を温めることができる。
［第７の実施形態］
図２３は、浴室内に設置された本発明の第７の実施形態に係るシャワー浴装置を模式的
に表す斜視図である。  
図２４は、同シャワー浴装置において、各吐水部からのシャワー流の吐水方向を正面側
から見た模式図である。  
図２５は、同シャワー浴装置において、各吐水部からのシャワー流の吐水方向を側面側
から見た模式図である。
【００６４】
本実施形態に係るシャワー浴装置は、主として、浴室の壁面１００に設けられた背面部
２と、浴室の床面１１０上に設けられた台部３と、を備える。図示では、台部３は、背面
部２の下部に一体的に設けられているが、台部３と、背面部２とを、別体で設けてもよい
。また、背面部を浴室壁面で構成し、すなわち浴室壁面自体を、着座者の背を受ける背面
部として機能させてもよい。
【００６５】
台部３は、背面部２の前方側（図２３における矢印ｙの方向）に出張っている。台部３
の上面には、その上面の他の部分よりも床面１１０側にくぼんだ凹状の座部４が形成され
ている。背面部２には、その背面部２の他の部分よりも浴室壁面１００側にくぼんだ凹状
の背もたれ部５が形成されている。背もたれ部５および座部４は、ひとつながりの凹部と
して形成されている。
【００６６】
座部４は、奥行き方向に向かって（背もたれ部５に向かって）下向き傾斜している。す
なわち、座部４のくぼみ深さが、奥行き方向に向かって（背もたれ部５に向かって）徐々
に深くなっている。
【００６７】
背面部２の上部であって、浴室壁面１００及び浴室床面１１０に対して略平行な第１の
方向（台部３の幅方向）の略中央部には、座部４に座った着座者の頭部、または首から頭
部にかけての部分を支持するための頭部支持部２５が設けられている。頭部支持部２５は
、背面部２に対して第２の方向（台部３の出張り方向）ｙに突出して設けられている。
【００６８】
背もたれ部５よりも上方の背面部２には、１対の第１の吐水部２１が設けられている。
第１の吐水部２１は、第１の方向ｘに見て、頭部支持部２５を挟むように頭部支持部２５
の左右両側に、それぞれ１つずつ設けられている。第１の吐水部２１は、使用者が座部４
に着座した状態で、その着座者の肩よりも上方に位置する。また、座部４と第１の吐水部
２１との間の高さは、浴室床面１１０からの座部４の高さよりも大きい。使用者が座部４
に着座した際に、一対の第１の吐水部２１間に、着座者の顔または頭部を位置させること
ができるように、２つの第１の吐水部２１は、第１の方向ｘに互いに離間している。すな
わち、一対の第１の吐水部２１は、使用者が座部４に着座した状態で、着座者の顔または
頭部を挟む位置に設けられている。ただし、第１の吐水部２１は、座部４に着座した着座
者の頭部よりも高い位置に設けてもよい。
【００６９】
背もたれ部５よりも上方の背面部２であって、一対の第１の吐水部２１のそれぞれの上
方には、一対の第２の吐水部２２が設けられている。
【００７０】
各吐水部２１、２２の吐水方向は、水平面に対して斜め下方に設定され、各吐水部２１
、２２からは、例えば４０〜４５℃程度のシャワー流が吐水される。
【００７１】
台部３において、その出張り方向（第２の方向ｙ）の前方側に位置する前面部２７には
、浴室壁面１００側にくぼんだ凹部２８が形成されている。凹部２８は座部４とつながっ
ている。
【００７２】
凹部２８の前方の浴室床面１１０上には、足浴槽２９が設けられている。各吐水部２１
、２２から吐水された湯水は、着座者の体表面を伝って、もしくは背もたれ部５および座
部４を経て足浴槽２９に溜まる。
【００７３】
次に、本実施形態に係るシャワー浴装置の作用について説明する。
【００７４】
図２４、３において各吐水部２１、２２からのシャワー流を破線の矢印で表す。  
第２の吐水部２２からは、水平面に対して斜め下方に噴出し座部４の前縁近傍に落下す
るシャワー流が吐水される。すなわち、上記特許文献１のような浴室空間内にせり出した
アームを介さずに、背面部２に設けた第２の吐水部２２から直接座部４の前縁近傍に落下
するシャワー流が吐水される。なお、座部４に着座者が着座した状態では、その着座者に
吐水流があたって座部４の前縁近傍には直接落下しないため、座部４に着座者が着座した
状態における「座部４の前縁近傍に落下する」には、「座部４に着座した着座者の下肢近
傍に落下する」も含む。別の視点から表現すれば、第２の吐水部２２からは、シャワー流
が、着座者２００の肩越しに斜め下方に吐水され、着座者２００の特に大腿部を中心とし
た下肢近傍にシャワー流が落下する。なおこの時、シャワー流は、着座者２００の下肢だ
けでなく腹部にも落下するようにしてもよい。そして、このシャワー流は、着座者２００
の膝から足に向けて下肢の表面を流れる。
【００７５】
第２の吐水部２２が、着座者２００の後方であって且つ着座者２００の下肢から遠い頭
部付近に設けられた構成であっても、着座者２００の肩越しに吐水を行うことで、その吐
水流が着座者２００に遮られることなく確実に下肢まで到達させて、膝から下の下肢を確
実に温めることができる。
【００７６】
また、第２の吐水部２２は、着座者２００の頭部より上に設けられ、このように高い位
置から吐水させることにより「打たせ湯」のように、シャワー流によるマッサージ効果も
下肢に作用させることができる。第２の吐水部２２からのシャワー流を高い位置から落下
させることで、水滴の落下加速度が増し、さらに飛翔距離が長くなることで滴どうしの結
合によって大きな滴径になりやすく、下肢に対する刺激を高めることができる。この結果
、血行を促進させ、また、リンパ液の逆流を抑制して、リンパ液の円滑な流れを促進する
ことができる。人体におけるリンパ液の流れに沿ってシャワー流による刺激を与えなくて
も、リンパ経路に断続的な刺激を与えることで、リンパ液の逆流を抑制して、リンパ液の
円滑な流れを促進することができる。リンパ液の流れを促進することで、体に溜まった老
廃物を排出し、また、むくみ、こり、疲労感を取り除き、免疫機能を高めることができる
。
【００７７】
第１の吐水部２１からは、着座者２００の首の付け根の近くの肩部に向けてシャワー流
が吐水される。肩部にあたったシャワー流の一部は、着座者２００の胸部から胴部にかけ
ての体の前側及び側部を流れ、また、肩部にあたったシャワー流の他の一部は、背中に回
り込む。このようにして、着座者２００の体の前側と背中とをいずれも温めることができ
る。また、シャワー流によるマッサージ効果も肩部に作用させることができる。
【００７８】
第１の吐水部２１から着座者２００の首の付け根の近くの肩部に向けてシャワー流を吐
水し着座者２００の上半身の前面と背中とにシャワー流を流すことにより、着座者２００
の後方に設けた一対の第１の吐水部２１だけであっても、着座者２００の上半身全体を効
率よく温めることができる。すなわち、吐水部を最小限にして低コスト化を図りつつ、高
い温熱効果が得られる。
【００７９】
着座者２００の背面側に回り込んだ湯水は、着座者２００の背中または背もたれ部５を
伝って、座部４に向けて連続的に流れる。すなわち、第１の吐水部２１から吐水された湯
水が、背もたれ部５へ次々と流れ込むため着座者２００の背中と背もたれ部５との間に温
度境界層ができず、湯水の熱が着座者２００の背中に伝わりやすくなる。身体の前面だけ
でなく背中側も同時に暖めることができるため、少ない流量でも温熱効果を高くでき、使
用湯量の節約による節水及び省エネルギーにもなる。
【００８０】
また、背もたれ部５は、座部４へとつながる凹状に形成されているため、背もたれ部５
に流れ込んだ湯水の飛散や流出を抑えて、無駄なく確実に座部４へと湯水を導くことがで
きる。すなわち、少ない流量でも温熱効果を損なうことなく、また、使用湯量の節約によ
る節水及び省エネルギーにもなる。
【００８１】
各吐水部２１、２２から吐水された湯水は、着座者２００の体表面もしくは背もたれ部
５を伝って、凹状の座部４に溜まる。座部４に湯水が溜まることで、着座者２００の臀部
、および大腿部における少なくとも裏側が確実に湯水に接触した状態となる。これにより
、各吐水部２１、２２からの吐水流が直接当たらない腰部付近を効率的に温めることがで
きる。また、腰部から臀部を温めることで、腸内運動の活性化も図れる。
【００８２】
座部４は、背もたれ部５からつながるくぼみとして形成されているため、湯水の横漏れ
を抑えて、各吐水部２１、２２からの湯水を無駄なく効率的に利用できる。すなわち、使
用湯水量の節約による節水及び省エネルギーが図れる。
【００８３】
座部４にも、着座者２００の体表面もしくは背もたれ部５を伝って次々と湯水が流れ込
むため、着座者２００と座部４との間に温度境界層ができず、湯水の熱が着座者２００の
臀部および大腿部に伝わりやすくなり、温熱効果を高めることができる。
【００８４】
座部４に溜まった湯水は、台部３の前面部２７に設けた凹部２８に流出し、着座者２０
０の脚部から足を流れる。その結果として、湯水を無駄にせずに足まで温めることができ
る。台部３の前面部２７に、座部４とつながった凹部２８を設けたことで、座部４に溜ま
った湯水があふれても横漏れせずに凹部２８を流れて足浴槽２９に溜まるため、各吐水部
２１、２２からの湯水を無駄なく利用することができる。
【００８５】
着座者２００はその足部を、足浴槽２９に溜まった湯水に浸けることにより、各吐水部
２１、２２から最も遠く、また血流が流れにくく、皮膚温が低い足部の温熱効果を高める
ことができる。また、足部には、動静脈吻合（ＡＶＡ：arteriovenous anastomosis）が
あり、足部を足浴槽２９の湯水に浸けることでＡＶＡが開いて血流が増大し、これにより
全身の温熱効果がさらに高まる。
【００８６】
本実施形態によれば、座部４に溜まった湯水に浸かりつつ、各吐水部２１、２２による
シャワー流を体全体に受けることで、浴槽への入浴初期と同様なお湯に浸かる感覚（入浴
感）を得ることができ、シャワー浴でありながら高い温熱効果を得られる。しかも、浴槽
に浸かる場合に比べて水圧が体にかからず体への負担が少ない。浴槽の中に出入りする動
作が必要なく、着座した状態で使用できるので、高齢者や身体動作に障害を有する使用者
でも高い温熱効果を楽に得ることができる。また、体の部分ごとにシャワーをかけるので
はなく、全身にシャワーを同時にかけられるため、短時間で節水しながらシャワーを浴び
て体を温めることができる。
【００８７】
また、各吐水部２１、２２から吐水されるのは噴霧ではなく連続的な水流からなるシャ
ワー流であるため、ミスト（噴霧）を噴出させる場合のように周辺の空間が高温高湿雰囲
気にならず、逆上せを防げる。またさらに、気化熱による吐水の温度低下が少ないので、
シャワーの設定温度を必要以上に高く設定する必要がなく、経済的である。
【００８８】
なお、本実施形態のシャワー浴装置において各吐水部２１、２２から吐水されるシャワ
ー流は、各吐水部２１、２２に穿設された複数のシャワー穴から吐水される。その穴径は
、例えば０．２ｍｍ〜４ｍｍの範囲内であることが望ましく、この範囲であれば、少ない
流量で広範囲に渡り効率的に温めることができる。なお、「シャワー流」とは、吐水部か
ら吐水された瞬間が線状となって吐水されるものも、流滴状となって吐水されるもの（ミ
スト流）も含む。
【００８９】
また、複数の吐水部を設けたアームが着座者の前方にせり出す特許文献１に比べて、本
実施形態では、各吐水部２１、２２を着座者２００の後方の浴室壁面に一体に設けること
により、限られたスペースの浴室空間内で、設置スペースの省スペース化が図れ、またコ
ンパクトですっきりした構成であるため浴室内での鬱陶しさがなくなり、デザイン性も損
なわない。また、前方にせり出すアームがないため、例えば使用者を車いすからシャワー
浴装置の座部４へと移乗させる作業も安全且つ容易に行え、使い勝手がよい。また、アー
ムがないため、座部４に着座した状態で、もしくはシャワー浴装置近くで、体や髪を洗う
動作の邪魔にもならない。
【００９０】
また、各吐水部２１、２２からのシャワー流の吐水方向を前述したように適切に設定す
ることで、着座者２００の前方に多数の吐水部を設けなくても、着座者の後方に最小限の
吐水部を設けるだけで、少量の湯でも効率的に着座者２００の体全体を温めるシャワー浴
が実現できる。吐水部を最小限にすることで、低コスト化も図れる。また、必要湯量を抑
えることで、節水及び省エネルギーにもなる。
【００９１】
［第８の実施形態］
図２６は、本発明の第８の実施形態に係るシャワー浴装置において、各吐水部からのシ
ャワー流の吐水方向を側面側から見た模式図である。
【００９２】
本実施形態では、各吐水部２１、２２の吐水方向は、水平面に対して斜め下方に設定さ
れ、各吐水部２１、２２からシャワー流が吐水されるが、第７の実施形態とは逆に、第１
の吐水部２１からは、水平面に対して斜め下方に噴出し座部４の前縁近傍に落下するシャ
ワー流が吐水され、第２の吐水部２２からは、着座者２００の肩部に向けてシャワー流が
吐水される。
【００９３】
第１の吐水部２１からは、シャワー流が、着座者２００の肩越しに斜め下方に吐水され
、着座者２００の特に大腿部を中心とした下肢近傍にシャワー流が落下する。第２の吐水
部２２から吐水され、肩部にあたったシャワー流の一部は、着座者２００の胸部から胴部
にかけての体の前側及び側部を流れ、また、肩部にあたったシャワー流の他の一部は、背
中に回り込む。
【００９４】
本実施形態では、より下肢に近い方の第１の吐水部２１から下肢に向けてシャワー流を
吐水するため、第７の実施形態に比べて短い距離で下肢にまでシャワー流を到達させるこ
とができる。すなわち、第１の吐水部２１から吐水されたシャワー流が下肢に至るまでの
飛翔中の温度低下を抑制でき、下肢を所望の温度のシャワー流で温めることができる。
【００９５】
また、第１の吐水部２１から下肢に至るシャワー流の飛翔距離と、第２の吐水部２２か
ら肩に至るシャワー流の飛翔距離との差を、第７の実施形態に比べて小さくすることがで
き、すなわち、各吐水部２１、２２から吐水されたシャワー流の飛翔中における温度低下
の程度の差を縮めて、下肢と体幹部（胴部）との温度差を小さくでき、さらに快適なシャ
ワー浴が可能となる。
【００９６】
［第９の実施形態］
図２７は、本発明の第９の実施形態に係るシャワー浴装置において、各吐水部からのシ
ャワー流の吐水方向を正面側から見た模式図である。
【００９７】
本実施形態では、前述した第１の吐水部２１及び第２の吐水部２２に加えて、第３の吐
水部２３を設けている。すなわち、第１の吐水部２１とほぼ同じ高さの背面部２であって
、第１の吐水部２１より外側（図２３においてｘ方向に見た場合の外側）に、一対の第３
の吐水部２３を設けている。
【００９８】
第３の吐水部２３からは、着座者２００の肩峰部（肩頂部）に向けてシャワー流が吐水
される。肩峰部にあたったシャワー流は、第１及び第２の吐水部２１、２２からのシャワ
ー流によってカバーしきれない、腕部の中央付近を中心とした部分や胴部の側部に流れて
、その部分を温める。また、肩峰から胸に向かってもシャワー流をあてることができる。
第１〜第３の吐水部２１〜２３及び足浴槽２９によって、着座者２００の体幹部、腕部、
下肢、足先を含む体全体を温めることができる。
【００９９】
［第１０の実施形態］
図２８は、本発明の第１０の実施形態に係るシャワー浴装置において、各吐水部からの
シャワー流の吐水方向を正面側から見た模式図である。
【０１００】
本実施形態では、第２の吐水部２２を、第１の吐水部２１の上方ではなく、第１の吐水
部２１とほぼ同じ高さであって、第１の吐水部２１より外側（図２３においてｘ方向に見
た場合の外側）に設けている。
【０１０１】
第１の吐水部２１からは、着座者２００の肩部に向けてシャワー流が吐水され、第２の
吐水部２２からは、水平面に対して斜め下方に噴出し座部４の前縁近傍に落下するシャワ
ー流が吐水される。すなわち、第２の吐水部２２からは、着座者２００の特に大腿部を中
心とした下肢近傍にシャワー流が落下する。
【０１０２】
着座者２００または座部４の中心ｃに対して、より遠い位置の第２の吐水部２２から下
肢に向けて斜め下方に吐水することで、滴の落下加速度が増し、さらに飛翔距離が長くな
ることで滴どうしの結合によって大きな滴径になりやすく、下肢に対する刺激を高めるこ
とができる。この結果、血行を促進させ、また、リンパ液の逆流を抑制して、リンパ液の
円滑な流れを促進することができる。
【０１０３】
［第１１の実施形態］
図２９は、本発明の第１１の実施形態に係るシャワー浴装置において、各吐水部からの
シャワー流の吐水方向を正面側から見た模式図である。
【０１０４】
本実施形態では、図２８を参照して説明した第１０の実施形態とは逆に、第１の吐水部
２１からは、水平面に対して斜め下方に噴出し座部４の前縁近傍に落下するシャワー流が
吐水され、第２の吐水部２２からは、着座者２００の肩部に向けてシャワー流が吐水され
る。第１の吐水部２１からは、シャワー流が、着座者２００の肩越しに斜め下方に吐水さ
れ、着座者２００の特に大腿部を中心とした下肢近傍にシャワー流が落下する。
【０１０５】
本実施形態では、第１０の実施形態に比べて、第１の吐水部２１から下肢に至るシャワ
ー流の飛翔距離と、第２の吐水部２２から肩に至るシャワー流の飛翔距離との差を小さく
することができ、すなわち、各吐水部２１、２２から吐水されたシャワー流の飛翔中にお
ける温度低下の程度の差を縮めて、下肢と体幹部（胴部）との温度差を小さくでき、さら
に快適なシャワー浴が可能となる。
【０１０６】
［第１２の実施形態］
図３０は、本発明の第１２の実施形態に係るシャワー浴装置において、各吐水部からの
シャワー流の吐水方向を側面側から見た模式図である。
【０１０７】
本実施形態に係るシャワー浴装置における背面部１０２は、鉛直方向に対して傾斜した
背もたれ部１０５を有する。すなわち、図２５に表される第７の実施形態に比べて、本実
施形態では、着座者２００の背を受ける背もたれ部１０５が後方に倒れるように傾斜して
いる。着座者２００は、頭部を後方に倒して体幹部を斜めに寝かせた姿勢となる。
【０１０８】
このような姿勢となることで、図２５の姿勢よりも、腹部や腰部が、座部４の前縁近傍
に近づき、座部４の前縁近傍に向けて斜め下方に吐水されるシャワー流を下肢だけでなく
、腹部や腰部に、直接または下肢への跳ね返りを利用して浴びせることができる。この結
果、腹部や腰部の温熱効果やマッサージ効果を高めることができる。また、着座者２００
がリラックスした姿勢となり、シャワー浴で感じる心地よさや満足感を、より高めること
ができる。
【０１０９】
［第１３の実施形態］
図３１は、本発明の第１３の実施形態に係るシャワー浴装置における吐水ユニット４０
の斜視図である。  
図３２は、同吐水ユニット４０の正面図である。  
図３３は、同吐水ユニット４０の横断面図である。
【０１１０】
本実施形態では、第１〜第３の吐水部５１〜５３が、それぞれ個別に、前述した背面部
２に取り付けられるのではなく、保持部材５０に第１〜第３の吐水部５１〜５３をまとめ
て保持させて吐水ユニット４０を構成し、第１〜第３の吐水部５１〜５３は、吐水ユニッ
ト４０ごと背面部２に取り付けられる。
【０１１１】
第１〜第３の吐水部５１〜５３は、保持部材５０の長手方向に並んで配設されている。
第１の吐水部５１及び第２の吐水部５２は、保持部材５０の正面部５０ａに設けられ、第
３の吐水部５３は、正面部５０ａと鈍角を形成して正面部５０ａの長手方向の両端に設け
られた傾斜部５０ｂに設けられている。
【０１１２】
第１の吐水部５１は、図２３において座部４におけるｘ方向の中心を挟むようにその中
心の左右両側に、それぞれ１つずつ設けられている。第１の吐水部５１は、使用者が座部
４に着座した状態で、その着座者の肩よりも上方に位置する。使用者が座部４に着座した
際に、一対の第１の吐水部５１間に、着座者の顔または頭部を位置させることができる。
ただし、第１の吐水部５１は、座部４に着座した着座者の頭部よりも高い位置に設けても
よい。
【０１１３】
第１の吐水部５１とほぼ同じ高さであって、第１の吐水部５１より外側（図２３におい
てｘ方向に見た場合の外側）に、一対の第２の吐水部５２が設けられている。
【０１１４】
第１及び第２の吐水部５１、５２とほぼ同じ高さであって、第２の吐水部５２より外側
（図２３においてｘ方向に見た場合の外側）に、一対の第３の吐水部５３が設けられてい
る。第３の吐水部５３は、正面部５０ａに対して傾斜した傾斜部５０ｂに設けられており
、座部４に着座した着座者よりも外側（図２３においてｘ方向に見た場合の外側）から、
肩峰部付近に向けられている。
【０１１５】
第１〜第３の吐水部５１〜５３は、保持部材５０にまとめて保持された状態で、背面部
２に対して取り付けられるので、取り扱いや組み付け性に優れる。
【０１１６】
第１の吐水部５１からは、着座者の首の付け根の近くの肩部に向けてシャワー流が吐水
される。肩部にあたったシャワー流の一部は、着座者の胸部から胴部にかけての体の前側
及び側部を流れ、また、肩部にあたったシャワー流の他の一部は、背中に回り込む。この
ようにして、着座者の体の前側と背中とをいずれも温めることができる。また、シャワー
流によるマッサージ効果も肩部に作用させることができる。
【０１１７】
第２の吐水部５２からは、水平面に対して斜め下方に噴出し座部４の前縁近傍に落下す
るシャワー流が吐水される。すなわち、第２の吐水部５２からは、シャワー流が、着座者
の肩越しに斜め下方に吐水され、着座者の特に大腿部を中心とした下肢近傍にシャワー流
が落下し、膝から下の下肢を確実に温めることができる。
【０１１８】
第３の吐水部５３からは、着座者の肩峰部に向けてシャワー流が吐水される。肩峰部に
あたったシャワー流は、第１及び第２の吐水部５１、５２からのシャワー流によってカバ
ーしきれない、腕部の中央付近を中心とした部分や胴部の側部に流れて、その部分を温め
る。また、肩峰から胸に向かってもシャワー流をあてることができる。本実施形態におい
ても、第１〜第３の吐水部５１〜５３からのシャワー流によって、着座者の全身を温める
ことができる。
【０１１９】
また、本実施形態では、各吐水部５１〜５３は、それぞれ、吐水方向や吐水位置を調整
可能に、保持部材５０に保持されている。各吐水部５１〜５３は同じ構造を有し、図３４
は、各吐水部５１〜５３の断面構造を例示する模式図である。
【０１２０】
前面が開口されたケーシング１１１の中に、ボール体１１２が、Ｏリング１１９を介し
て液密且つ回動自在に保持されている。ケーシング１１１の前面側にはフランジ部１２０
が設けられ、そのフランジ部１２０が、保持部材５０の正面部５０ａに裏側から固定され
ている。
【０１２１】
ボール体１１２の内部には、段付き孔１２１が貫通して形成されており、その段付き孔
１２１の一端側には蓋部材１１４が嵌め込まれている。段付き孔１２１には、筒部材１１
６が挿入され、その筒部材１１６の一端側には、複数の吐水口１１８が形成されたシャワ
ープレート１１７が設けられている。シャワープレート１１７は、保持部材５０の正面部
５０ａから外部に突出している。
【０１２２】
図示しない給水流路から供給される湯水は、ケーシング１１１に開口された流入口１１
３よりケーシング１１１の内部に流入し、蓋部材１１４の内部に形成された流路１１５を
通ってボール体１１２内部の段付き孔１２１に導かれ、さらに段付き孔１２１に挿入され
た筒部材１１６の内部を通って、シャワープレート１１７の吐水口１１８から、外部に噴
出する。
【０１２３】
蓋部材１１４内の流路１１５を通過した水流は、段付き孔１２１の軸方向に対して斜め
に、段付き孔１２１内に流出し、段付き孔１２１内に旋回流が形成される。そして、筒部
材１１６において蓋部材１１４側の端部が、その旋回流の水圧を受けることで、筒部材１
１６がボール体１１２に対してわずかに揺動する。筒部材１１６は、段付き孔１２１の軸
方向のまわりに例えば３°の範囲内で傾いて揺動し、これにより、シャワープレート１１
７からは、わずかに旋回したシャワー流が吐水される。
【０１２４】
ボール体１１２は、回動自在にケーシング１１１に保持され、ケーシング１１１に対し
てボール体１１２が回動することで、シャワープレート１１７は、上下、左右、斜め方向
に可動される（向きを変えることができる）。シャワープレート１１７は、例えば、図３
４に表す状態から、上下、左右、斜め方向に３０°ほどの範囲内で可動できる。
【０１２５】
ボール体１１２を回動させることで、シャワープレート１１７が向けられる方向、すな
わちシャワー流の吐水方向を変えることができ、その吐水方向を適切に設定することで、
着座者の体格、体型、深く座るあるいは浅く座るなどの座り方、また、どの部位にシャワ
ー流を当てるかといった好みなどに応じて、着座者の所望の部位に、各吐水部５１〜５３
からのシャワー流を確実に到達させることができる。このため、湯水を無駄に使用するこ
となく、節水しながらも着座者の全身を効率的に温めることができる。また、着座者の体
格等に合わせて多数の吐水部を設けなくてよいので、コスト低減にもなる。なお、第１〜
第３の吐水部５１〜５３のすべてについて、吐水方向を調整可能にすることに限らず、第
１〜第３の吐水部５１〜５３のうち少なくともいずれか１つだけが吐水方向を調整可能で
あってもよい。
【０１２６】
［第１４の実施形態］
図３５は、本発明の第１４の実施形態に係るシャワー浴装置における吐水ユニットの斜
視図である。  
図３６は、同吐水ユニットの側面図である。
【０１２７】
本実施形態では、前述した保持部材５０が、水平軸のまわりに回動可能となるよう構成
している。具体的には、保持部材５０の軸方向の両端部に軸部材５６を設け、その軸部材
５６を、取付板５５に固定された軸受部材５７に回動自在に支持させている。取付板５５
は、前述した背面部２に取り付けられる。あるいは、軸受部材５７を、直接、背面部２に
設けてもよい。
【０１２８】
図３５（ａ）及び図３６（ａ）は、保持部材５０が下方に回動され、各吐水部５１〜５
３からのシャワー流の吐水方向が水平面より下方に向けられた状態を表す。  
図３５（ｂ）及び図３６（ｂ）は、保持部材５０が上方に回動され、各吐水部５１〜５
３からのシャワー流の吐水方向が水平面より上方に向けられた状態を表す。
【０１２９】
保持部材５０が水平軸のまわりに回動することで、保持部材５０に保持された第１〜第
３の吐水部５１〜５３は上下に揺動し、これにより、各吐水部５１〜５３からのシャワー
流の吐水方向を調整できる。第１〜第３の吐水部５１〜５３の吐水方向の調整を一度にま
とめて行えるので、面倒さがない。
【０１３０】
本実施形態の構成において、各吐水部５１〜５３は前述した第１３の実施形態と同様に
、それぞれが個別に保持部材５０に対して揺動自在な構成としてもよいし、保持部材５０
に対して固定させてもどちらでもよいが、前者の構成とすれば、より細かな吐水方向の調
整を行える。また、吐水方向とともに、吐水位置を調整できるようにしてもよい。
【０１３１】
［第１５の実施形態］
図３７（ａ）及び（ｂ）は、本発明の第１５の実施形態に係るシャワー浴装置の模式図
である。  
本実施形態のシャワー浴装置は、着座者２００の頭部またはそれよりも上方において設
けられた一対の第１の吐水部２１と、その下に設けられた第２の吐水部２２と、を有する
。第１の吐水部２１の吐水方向は、略水平方向または斜め下方に設定され、吐水されたシ
ャワー流の少なくとも一部は、図３７（ｂ）に表したように、座部４に着座した着座者２
００の大腿部を中心とした下肢近傍に落下する。
【０１３２】
一方、第２の吐水部２２は、座部４に着座した着座者２００の首から両肩の背後に２次
元的に設けられた複数のシャワー孔を有する。これらシャワー孔からの吐水方向も、略水
平方向または斜め下方に設定されている。第２の吐水部２２から吐水されるシャワー流は
、図３７（ｂ）に表したように、着座者２００の首、肩、肩峰部（肩頂部）を含む範囲を
カバーする。第２の吐水部２２は、着座者２００の真後ろにも設けられているので、着座
者２００の首や背中の真後ろにもむらなくシャワー流をあてることができる。このように
して、着座者２００の首から下のほぼ全身をむらなく温めることができる。
【０１３３】
第１の吐水部２１と第２の吐水部２２は、一体的に形成してもよい。すなわち、共通の
基体（図示せず）に第１の吐水部２１と第２の吐水部２２を形成してもよい。この場合、
この基体の角度や位置を変えることで、第１の吐水部２１と第２の吐水部２２の吐水方向
や吐水位置を同時に調節することが可能となる。
【０１３４】
または、図３７（ａ）及び（ｂ）に表したように、第１の吐水部２１と第２の吐水部２
２とを別体として形成してもよい。すなわち、第１の吐水部２１と第２の吐水部２２を別
々の基体にそれぞれ形成してもよい。この場合には、第１の吐水部２１の吐水方向や吐水
位置と、第２の吐水部２２の吐水方向や吐水位置と、を独立に調節可能とすることができ
る。
【０１３５】
［第１６の実施形態］
図３８（ａ）及び（ｂ）は、本発明の第１６の実施形態に係るシャワー浴装置の模式図
である。  
本実施形態のシャワー浴装置も、第１５の実施形態のシャワー装置と同様に、座部４に
着座した着座者２００の頭部またはそれよりも上方において設けられた一対の第１の吐水
部２１と、その下に設けられた第２の吐水部２２と、を有する。第１の吐水部２１の吐水
方向は、略水平方向または斜め下方に設定され、吐水されたシャワー流の少なくとも一部
は、図３８（ｂ）に表したように、着座者２００の大腿部を中心とした下肢近傍に落下す
る。
【０１３６】
一方、第２の吐水部２２は、座部４に着座した着座者２００の首から両肩の背後に横方
向に一列に並んだ複数のシャワー孔を有する。これらシャワー孔からの吐水方向も、略水
平方向または斜め下方に設定されている。第２の吐水部２２から吐水される一列のシャワ
ー流は、図３８（ｂ）に表したように、座部４に着座した着座者２００の首、肩、肩峰部
（肩頂部）を含む範囲をカバーする。また、肩峰から胸に向かってもシャワー流をあてる
ことができる。本実施形態においても、第２の吐水部２２は、着座者２００の真後ろにも
設けられているので、着座者２００の首や背中の真後ろにもむらなくシャワー流をあてる
ことができる。このようにして、着座者２００の首から下のほぼ全身をむらなく温めるこ
とができる。
【０１３７】
本実施形態においても、第１の吐水部２１と第２の吐水部２２を一体的に形成して同時
に吐水方向や吐水位置を調節可能としてもよく、または、図３８（ａ）及び（ｂ）に表し
たように、第１の吐水部２１と第２の吐水部２２とを別体として、これらの吐水方向や吐
水位置を独立に調節可能とすることもできる。
【０１３８】
［第１７の実施形態］
図３９（ａ）及び（ｂ）は、本発明の第１７の実施形態に係るシャワー浴装置の模式図
である。  
本実施形態のシャワー浴装置は、座部４に着座した着座者２００の頭部またはそれより
も上方において設けられた一対の第１の吐水部２１と、その下方に設けられた一対の第２
の吐水部２２と、これら第２の吐水部２２の間に設けられた第３の吐水部２３と、を有す
る。これら吐水部２１、２２、２３は、２次元的に設けられた複数のシャワー孔をそれぞ
れ有する。
【０１３９】
第１の吐水部２１の吐水方向は、略水平方向または斜め下方に設定され、吐水されたシ
ャワー流の少なくとも一部は、図３９（ｂ）に表したように、着座者２００の大腿部を中
心とした下肢近傍に落下する。第２の吐水部２２から吐水されるシャワー流は、着座者２
００の首から肩の範囲をカバーする。第２の吐水部２２は、着座者２００の真後ろにも設
けられているので、着座者２００の首や背中の真後ろにもむらなくシャワー流をあてるこ
とができる。そして、第３の吐水部２３からのシャワー流は、着座者２００の両側から着
座者２００を包み込むように吐水され、着座者２００の肩峰部（肩頂部）から上肢の前後
を含む範囲をカバーする。また、肩峰から胸に向かってもシャワー流をあてることができ
る。このようにして、着座者２００の首から下のほぼ全身をむらなく温めることができる
。
【０１４０】
本実施形態においても、第１の吐水部２１と第２の吐水部２２を一体的に形成して同時
に吐水方向や吐水位置を調節可能としてもよく、第１の吐水部２１と第２の吐水部２２と
を別体として、これらの吐水方向や吐水位置を独立に調節可能とすることもできる。
【０１４１】
本実施形態においても、図３９（ａ）及び（ｂ）に表したように、第１〜第３の吐水部
２１、２２、２３を共通の基体１５０に形成し、基体１５０の向きを変えることにより、
これら吐水部の吐水方向を同時に調節可能とすることができる。
【０１４２】
［第１８の実施形態］
図４０は、本発明の第１８の実施形態に係るシャワー浴装置の模式図である。  
また、図４１は、このシャワー浴装置の座部４の模式図である。
【０１４３】
本実施形態のシャワー浴装置は、シャワーブース３００に設けられている。すなわち、
シャワーブース３００の壁面には、第１３の実施の形態に関して前述した吐水部５１、５
２、５３が設けられている。そして、これら吐水部５１、５２、５３の下方には、座部４
が設けられている。図４１（ａ）は、座部４の使用状態を表し、図４１（ｂ）は、座部４
を収納した状態を表す。このように座部４を収納可能とすれば、シャワーブースで立位の
状態でシャワーを浴びる際に座部４が邪魔になることもない。
【０１４４】
なお、本実施形態において、第１３実施形態の吐水部５１、５２、５３の代わりに、第
１〜第１２または第１４〜第１７の実施の形態に関して前述した吐水部２１、２２、２３
、５１、５２、５３のいずれかを設けてもよい。
【０１４５】
［第１９の実施形態］
図４２〜図４５は、本発明の第１９の実施形態に係るシャワー浴装置の模式図である。
本実施形態のシャワー浴装置は、背面部２と、台部３と、を有する椅子の形態を有する
。背面部２には背もたれ部５が設けられ、台部３には座部４が設けられている。背面部２
の上部には、背もたれ部５の両側から斜め前方に延出した一対の翼部２Ｗが設けられてい
る。
【０１４６】
これら翼部２Ｗには、図４３に表したように、第１の吐水部２１、第２の吐水部２２、
第３の吐水部２３が設けられている。これら吐水部２１、２２、２３のそれぞれからは、
一条または複数状のシャワー状の吐水が可能とされている。一方、座部４は、その前縁か
ら背もたれ部５に向かって下方に傾斜した傾斜面を有する。このように形成された座部４
は、その両側端に設けられた壁部６及び背もたれ部５と協働して、湯水を貯留可能として
いる。また、座部４の鉛直最下部には、開口部３１が設けられている。一方、台部３の前
面には、一対の下肢裏吐水部３３が設けられている。これら下肢裏吐水部３３は、開口部
３１と連通している。つまり、吐水部２１、２２、２３から吐水され座部４に落下した湯
水は、開口部３１から下肢裏吐水部３３に導かれ、図４５に矢印Ｄで表したように、座部
４に座った着座者の下肢の裏側に向けて吐水される。このようにして、着座者の下肢の裏
側までまんべんなくシャワー流をあてて暖めたりマッサージ効果を与えることができる。
なお、座部４に落下した湯水を下肢裏吐水部３３から吐水させるのではなく、給湯源から
供給される湯水を下肢裏吐水部３３に導いて吐水させてもよい。
【０１４７】
第１の吐水部２１から吐水された湯水は、図４５に矢印Ａで表したように、座部４に座
った着座者の大腿部を中心とした下肢近傍に落下する。また、第２の吐水部２２から吐水
された湯水は、図４５に矢印Ｂで表したように、座部４に座った着座者の首から肩の範囲
にあたる。また、第３の吐水部２３から吐水された湯水は、図４５に矢印Ｃで表したよう
に、座部４に座った着座者を両側からを包み込むように肩峰部（肩頂部）から上肢の前後
を含む範囲をカバーする。また、肩峰から胸に向かってもシャワー流をあてることができ
る。また、吐水された湯水や着座者の身体を流れ落ちた湯水の一部は、座部４に貯留され
る。つまり、座部４に着座した着座者の臀部や大腿部の下側は、座部４に貯留された湯水
により暖められる。このようにして、着座者２００の首から下のほぼ全身をむらなく温め
ることができる。
【０１４８】
本実施形態のシャワー浴装置は、独立した椅子の形態を有するので、シャワーブースや
浴室などを工事することなく、手軽に設置することができる。そして、ソファのようにリ
ラックスした着座姿勢で、心地よい全身シャワー浴の恩恵に浴することができる。また、
このシャワー浴装置の座部４や背もたれ部５の裏側に振動発生装置を設けると、着座者に
振動のマッサージ効果を与えることも可能である。このようにすれば、シャワー浴による
リラックス効果やマッサージ効果と、振動によるマッサージ効果と、を重畳させてさらに
高い効果が得られる。
【０１４９】
［実施例］
次に、本発明者が実施した実施例について説明する。  
本発明者は、第１実施形態のシャワー浴装置によるシャワー浴と、湯を溜めた浴槽によ
る入浴と、従来のハンドシャワーによるシャワー浴と、特許文献１に開示されているシャ
ワー浴装置によるシャワー浴と、による暖まり効果をそれぞれ測定する実験を実施した。
【０１５０】
ここで、第１実施形態のシャワー浴装置においては、吐水部２１、２２、２３に供給す
る湯水の温度を４３℃とし、これら吐水部から吐水される湯水の合計量を毎分１０リッタ
ーとした場合（ケースＡ）について実験した。また、湯を溜めた浴槽による入浴（ケース
Ｃ）は、浴槽に４０℃の湯を２３０リッター溜めて入浴を実施した。また、一方、従来の
ハンドシャワーの場合（ケースＤ）も、シャワーヘッドに供給する湯水の温度を４３℃と
し、流量は毎分８リッターとした。一方、特許文献１に開示されたシャワー浴装置（ケー
スＥ）においては、毎分１０リッターの湯をミスト状に噴出させてシャワー浴を実施した
。そして、これらいずれのケースにおいても、入浴の直前と、５分間入浴した後に、被験
者の体表面の温度の変化を放射温度計により測定した。
【０１５１】
図４６は、被験者の全身の体表面の温度の変化を表すグラフ図である。ここで、縦軸は
、入浴直前の温度からの上昇分を表す。ここでは、首よりも下の全身の体表面の温度の平
均を全身の温度とした。  
入浴直前と比較すると、５分間の入浴直後の温度上昇は、浴槽（Ｃ）で３．５℃、本実
施形態のシャワー浴装置で（Ａ）で３．２℃、特許文献１のシャワー浴装置（Ｅ）で２．
２℃、従来のシャワー（Ｄ）で１．８℃であった。つまり、浴槽（Ｃ）に入浴した場合が
最も高く、本実施形態（Ａ）においてはそれに近い温度が得られていることがわかる。一
方、これらに比べて、特許文献１に開示されているシャワー浴装置（Ｅ）と従来のハンド
シャワーの場合（Ｄ）の場合には、温度上昇は小さいことが分かる。
【０１５２】
また、出浴後５分が経過した時には、それぞれ、２．９℃（Ｃ）、２．５℃（Ａ）、２
．２℃（Ｅ）、１．７℃（Ｄ）であった。そして、出浴後１０分が経過した時には、それ
ぞれ、２．４℃（Ｃ）、２．２℃（Ａ）、２．０℃（Ｅ）、１．５℃（Ｄ）であった。つ
まり、出浴後１０分が経過すると、本実施形態のシャワー浴装置によるシャワー浴が浴槽
への入浴と同じ温度になる。これは、本実施形態のシャワー浴装置の場合には、湯水によ
る温熱効果だけではなく、リラックスした姿勢で全身にシャワーをまんべんなく浴びるこ
とによるマッサージ効果や血行促進効果が得られるからであると考えられる。
【０１５３】
図４７は、被験者の肩の体表面の温度の変化を表すグラフ図である。ここでも、縦軸は
、入浴直前の温度からの上昇分を表す。  
入浴直前と比較すると、５分間の入浴直後の肩の温度上昇は、本実施形態のシャワー浴
装置で（Ａ）で２．９℃であり、特許文献１のシャワー浴装置（Ｅ）で１．６℃、浴槽（
Ｃ）で１．１℃、従来のシャワー（Ｄ）で０．８℃であった。つまり、本実施形態のシャ
ワー浴装置による場合が飛び抜けて高く、特許文献１に開示されているシャワー浴装置（
Ｅ）、浴槽（Ｃ）、従来のハンドシャワー（Ｄ）は、いずれも相対的に低いことが分かる
。これは、本実施形態のシャワー浴装置の場合、第２の吐水部２２及び第３の吐水部２３
（図１参照）からのシャワー流が着座者の肩にまんべんなくかかり、十分に温めることが
できるからであると考えられる。これに対して、例えば、特許文献１に開示されたシャワ
ー浴装置の場合（Ｅ）、アームから噴射されるミストでは着座者の肩まで十分に暖めるこ
とができないと考えられる。一方、浴槽（Ａ）の場合、肩が湯の中に完全に沈んだ状態を
長時間維持することは入浴者に苦しく、肩を湯から出した姿勢で入浴せざるを得ない。こ
のため、身体は暖まっても肩は温まりにくい。また、従来のハンドシャワーの場合（Ｄ）
は、シャワーヘッドからのシャワー流は必ずしも入浴者の身体にあたるとは限らず、入浴
者の全身をむらなく効率的に暖めることは容易ではない。
【０１５４】
出浴後５分が経過した時には、それぞれ、２．３℃（Ａ）、１．８℃（Ｅ）、１．４℃
（Ｄ）、１．１℃（Ｃ）であった。そして、出浴後１０分が経過した時には、それぞれ、
１．９℃（Ａ）、１．８℃（Ｅ）、１．５℃（Ｄ）、１．０℃（Ｃ）であった。つまり、
出浴後１０分が経過しても、本実施形態のシャワー浴装置（Ａ）の場合が最も高い温度が
得られている。なお、従来のハンドシャワー（Ｄ）と特許文献１に開示されているシャワ
ー浴装置（Ｅ）の場合、出浴直後からみて５分後と１０分後に温度が徐々に上昇している
。これは、これらの方法の場合には、身体の他の部分と比べて肩の温まりが特に低く、出
浴後に血流によって身体の他の部分からの熱が肩に伝えられたからであると考えられる。
【０１５５】
図４８は、被験者の下肢の体表面の温度の変化を表すグラフ図である。ここでも、縦軸
は、入浴直前の温度からの上昇分を表す。  
入浴直前と比較すると、５分間の入浴直後の下肢の温度上昇は、浴槽（Ｃ）の場合で３
．５℃と一番高かったが、本実施形態のシャワー浴装置（Ａ）では、３．２℃であり、浴
槽（Ｃ）とほぼ同等の温度上昇が得られた。つまり、本実施形態によれば、第１の吐水部
２１（図１参照）から着座者の下肢に直接落下する吐水や、第２の吐水部２２及び第３の
吐水部２３から吐水され着座者の身体にあたって座部４の前縁から流れ落ちる湯水などよ
って、着座者の下肢まで十分に暖めることができることが分かる。
【０１５６】
これに対して、従来のハンドシャワー（Ｄ）と特許文献１のシャワー浴装置（Ｅ）の場
合、入浴直後の温度はそれぞれ２．３℃、２．１℃と低い。従来のハンドシャワーの場合
（Ｃ）、入浴者の下肢までまんべんなく湯水をかけることが容易ではない。また、特許文
献１に開示されたシャワー浴装置の場合、アームから噴出したミストにより着座者の下肢
の全体を包み込むことは容易でなく、また、アームから噴出したミストは温度の低下が急
速であるために、着座者の下肢の全体をまんべんなく暖めることが困難であると考えられ
る。
【０１５７】
以上説明したように、本実施例によれば、全身、肩、下肢のいずれについても、本実施
形態のシャワー浴装置により高い暖まり効果が得られることが分かった。例えば、全身と
下肢については、本実施形態のシャワー浴装置は、浴槽による入浴と同等の暖まり効果が
得られる。ここで、浴槽の場合には、例えば２３０リッター程度の湯水を必要とするが、
本実施形態によれば、５分間の入浴で５０リッター（ケースＡ）と非常に少ない湯水で済
む。つまり、高い節水効果も得られる。また仮に４人が続けて入浴したとしても、浴槽（
ケース）よりも少ない湯水で同等の暖まり効果が得られる。
【０１５８】
また、肩についてみると、浴槽よりも高い暖まり効果が得られる。またさらに、本実施
形態によれば、着座者の身体に吐水を落下させることによるマッサージ効果も得られる。
これにより、例えば肩の「こり」や痛みなどを緩和する効果も得られる。
【０１５９】
以上、本発明の第１〜第１９の実施の形態と、実施例について説明した。  
前述した各実施形態において、各吐水部の座部４からの高さは、例えば、４００〜１４
００（ｍｍ）であり、より確実に前述の効果を得るべく好ましくは５００〜１０００（ｍ
ｍ）であり、さらに好ましくは６５０〜９００（ｍｍ）である。  
また、座部４の床面からの高さは、例えば、２５０〜８００（ｍｍ）であり、より確実
に前述の効果を得るべく好ましくは３００〜５００（ｍｍ）であり、さらに好ましくは３
５０〜４５０（ｍｍ）である。  
また、シャワーブース内での使用を想定した場合には、床面から座部４までの高さは、
２５０〜８００（ｍｍ）程度の腰を掛けられる高さの範囲であればよい。
【０１６０】
また、座部４の中心を挟んで対をなす最外側の第３の吐水部間の距離（幅）は、例えば
、３４０〜１２００（ｍｍ）であり、より確実に前述の効果を得るべく好ましくは５００
〜８００（ｍｍ）であり、さらに好ましくは５５０〜６５０（ｍｍ）である。
【０１６１】
また、前述した各具体例において、第１の吐水部２１や第２の吐水部５２から吐水され
た湯水の平均粒径は、第１の吐水部５１、第２の吐水部２２、第３の吐水部２３、５３か
ら吐水された湯水の平均粒径よりも大きいものとすることができる。具体的には、例えば
、第１の吐水部２１や第２の吐水部５２から吐水された湯水の平均粒径は１４００〜３０
００マイクロメータの範囲とし、第１の吐水部５１、第２の吐水部２２、第３の吐水部２
３、５３から吐水された湯水の平均粒径は５００〜１４００マイクロメータの範囲とする
ことができる。このようにすれば、第１の吐水部２１、５２から吐水され、着座者の下肢
部に落下するシャワー流の吐水後の温度の低下を抑制し、暖かい湯水を着座者の下肢部に
あてることができる。また、同時に第１の吐水部２１、５２から吐水され、着座者の下肢
部に落下するシャワー流による刺激を適度に与え、マッサージ効果を得ることができる。
なお、湯水の粒径は、吐水孔のサイズや形状を調節することにより制御できる。
【０１６２】
以上、具体例を参照しつつ本発明の実施の形態について説明した。しかし、本発明はこ
前述した各具体例に限定されるものではない。  
例えば、前述した各実施形態は、技術的に可能な限り適宜組み合わせて実施してもよく
、これらも本発明の範囲に包含される。また、給湯圧力やその変動によらずに常に吐水を
安定して下肢などに到達させるために、吐水流量または吐水圧力を調整可能とした流量調
整手段または圧力調整手段を設けてもよい。  
また、各具体例における各要素の構造、形状、機能、配置関係、材料などについて当業
者が適宜変更あるいは追加したものであっても、本発明の要旨を含む限りにおいて本発明
の範囲に包含される。
【図面の簡単な説明】
【０１６３】
【図１】本発明の第１の実施形態に係るシャワー浴装置の外観を模式的に例示する斜視図である。
【図２】図１におけるＡ−Ａ断面図である。
【図３】図１におけるＢ−Ｂ断面図である。
【図４】図１におけるＣ−Ｃ断面図である。
【図５】吐水部の他の具体例を表す模式側面図である。
【図６】着座者に対する各吐水部からのシャワー流の吐水の様子を模式的に表す斜視図である。
【図７】座部の他の具体例を表す模式断面図である。
【図８】本発明の第２の実施形態に係るシャワー浴装置における背もたれ部の模式正面図である。
【図９】図８におけるＤ−Ｄ断面図である。
【図１０】背もたれ部に凹凸を設けない場合の背もたれ部の模式断面図である。
【図１１】背もたれ部に設けた凹凸の他の具体例を表す模式平面図である。
【図１２】背もたれ部に設けた凹凸のさらに他の具体例を表す模式平面図である。
【図１３】背もたれ部に設けた凹凸のさらに他の具体例を表す模式平面図である。
【図１４】本発明の第３の実施形態に係るシャワー浴装置の外観を模式的に例示する斜視図である。
【図１５】同第３の実施形態において、着座者に対する各吐水部からのシャワー流の吐水の様子を模式的に表す斜視図である。
【図１６】本発明の第４の実施形態に係るシャワー浴装置の外観を模式的に例示する斜視図であり、足浴槽が浴室床面上に設置されている状態を表す。
【図１７】本発明の第４の実施形態に係るシャワー浴装置の外観を模式的に例示する斜視図であり、足浴槽が台部の中に収納された状態を表す。
【図１８】足浴槽の収納構造の他の具体例を表す斜視図であり、足浴槽が浴室床面上に設置されている状態を表す。
【図１９】図１８に表される足浴槽の回動途中の状態を表す斜視図である。
【図２０】本発明の第５の実施形態に係るシャワー浴装置の模式側断面図である。
【図２１】本発明の第６の実施形態に係るシャワー浴装置の模式側断面図である。
【図２２】座部の他の具体例を表す模式斜視図である。
【図２３】浴室内に設置された本発明の第７の実施形態に係るシャワー浴装置を模式的に表す斜視図である。
【図２４】同シャワー浴装置において、各吐水部からのシャワー流の吐水方向を正面側から見た模式図である。
【図２５】同シャワー浴装置において、各吐水部からのシャワー流の吐水方向を側面側から見た模式図である。
【図２６】本発明の第８の実施形態に係るシャワー浴装置において、各吐水部からのシャワー流の吐水方向を側面側から見た模式図である。
【図２７】本発明の第９の実施形態に係るシャワー浴装置において、各吐水部からのシャワー流の吐水方向を正面側から見た模式図である。
【図２８】本発明の第１０の実施形態に係るシャワー浴装置において、各吐水部からのシャワー流の吐水方向を正面側から見た模式図である。
【図２９】本発明の第１１の実施形態に係るシャワー浴装置において、各吐水部からのシャワー流の吐水方向を正面側から見た模式図である。
【図３０】本発明の第１２の実施形態に係るシャワー浴装置において、各吐水部からのシャワー流の吐水方向を側面側から見た模式図である。
【図３１】本発明の第１３の実施形態に係るシャワー浴装置における吐水ユニットの斜視図である。
【図３２】吐水ユニットの正面図である。
【図３３】吐水ユニットの横断面図である。
【図３４】吐水ユニットにおける各吐水部の断面構造を例示する模式図である。
【図３５】本発明の第１４の実施形態に係るシャワー浴装置における吐水ユニットの斜視図である。
【図３６】吐水ユニットの側面図である。
【図３７】本発明の第１５の実施形態に係るシャワー浴装置の模式図である。
【図３８】本発明の第１６の実施形態に係るシャワー浴装置の模式図である。
【図３９】本発明の第１７の実施形態に係るシャワー浴装置の模式図である。
【図４０】本発明の第１８の実施形態に係るシャワー浴装置の模式図である。
【図４１】図４０に表したシャワー浴装置の座部４の模式図である。
【図４２】本発明の第１９の実施形態に係るシャワー浴装置の模式図である。
【図４３】本発明の第１９の実施形態に係るシャワー浴装置の模式図である。
【図４４】本発明の第１９の実施形態に係るシャワー浴装置の模式図である。
【図４５】本発明の第１９の実施形態に係るシャワー浴装置の模式図である。
【図４６】被験者の全身の体表面の温度の変化を表すグラフ図である。
【図４７】被験者の肩の体表面の温度の変化を表すグラフ図である。
【図４８】被験者の下肢の体表面の温度の変化を表すグラフ図である。
【符号の説明】
【０１６４】
２ 背面部
２Ｗ 翼部
３ 台部
４ 座部
４Ａ 凹部
６ 壁部
７ 壁部
８ 壁部
１４ ユニット体
１５ 座部
１６ 壁部
１７ 凸部
１７ａ 凸部
１７ｂ 凸部
１７ｃ 凸部
１８ 流路
２１ 吐水部
２２ 吐水部
２３ 吐水部
２５ 頭部支持部
２７ 前面部
２８ 凹部
２９ 足浴槽
３１ 開口部
３２ 開口
３３ 下肢裏吐水部
３４ 軸部材
３５ 案内部
３６ 座部
３７ａ 壁部
３７ｃ 壁部
４０ 吐水ユニット
５０ 保持部材
５０ａ 正面部
５０ｂ 傾斜部
５１ 吐水部
５２ 吐水部
５３ 吐水部
５５ 取付板
５６ 軸部材
５７ 軸受部材
１００ 壁面
１００ 浴室壁面
１０２ 背面部
１０５ 背もたれ部
１１０ 床面
１１０ 浴室床面
１１１ ケーシング
１１２ ボール体
１１３ 流入口
１１４ 蓋部材
１１５ 流路
１１６ 筒部材
１１７ シャワープレート
１１８ 吐水口
１１９ リング
１２０ フランジ部
１２１ 孔
１５０ 基体
２００ 着座者
３００ シャワーブース
【図１】
2008237935.tif 000003
【図２】
2008237935.tif 000004
【図３】
2008237935.tif 000005
【図４】
2008237935.tif 000006
【図５】
2008237935.tif 000007
【図６】
2008237935.tif 000008
【図７】
2008237935.tif 000009
【図８】
2008237935.tif 000010
【図９】
2008237935.tif 000011
【図１０】
2008237935.tif 000012
【図１１】
2008237935.tif 000013
【図１２】
2008237935.tif 000014
【図１３】
2008237935.tif 000015
【図１４】
2008237935.tif 000016
【図１５】
2008237935.tif 000017
【図１６】
2008237935.tif 000018
【図１７】
2008237935.tif 000019
【図１８】
2008237935.tif 000020
【図１９】
2008237935.tif 000021
【図２０】
2008237935.tif 000022
【図２１】
2008237935.tif 000023
【図２２】
2008237935.tif 000024
【図２３】
2008237935.tif 000025
【図２４】
2008237935.tif 000026
【図２５】
2008237935.tif 000027
【図２６】
2008237935.tif 000028
【図２７】
2008237935.tif 000029
【図２８】
2008237935.tif 000030
【図２９】
2008237935.tif 000031
【図３０】
2008237935.tif 000032
【図３１】
2008237935.tif 000033
【図３２】
2008237935.tif 000034
【図３３】
2008237935.tif 000035
【図３４】
2008237935.tif 000036
【図３５】
2008237935.tif 000037
【図３６】
2008237935.tif 000038
【図３７】
2008237935.tif 000039
【図３８】
2008237935.tif 000040
【図３９】
2008237935.tif 000041
【図４０】
2008237935.tif 000042
【図４１】
2008237935.tif 000043
【図４２】
2008237935.tif 000044
【図４３】
2008237935.tif 000045
【図４４】
2008237935.tif 000046
【図４５】
2008237935.tif 000047
【図４６】
2008237935.tif 000048
【図４７】
2008237935.tif 000049
【図４８】
2008237935.tif 000050